【事件の表示】
　特許第３１３６４９８号「パチンコ機」の請求項１に係る特許に対する特許異議の申立てについて、次のとおり決定する。
【結　論】
　訂正を認める。
　特許第３１３６４９８号の請求項１に係る特許を維持する。
【理　由】
１．手続の経緯
　特許３１３６４９８号の請求項１に係る発明についての出願は、平成４年４月３日に出願され、平成１２年１２月８日にその発明についての特許権の設定登録がなされ、その後、その発明の特許に対し、細江裕実より特許異議の申立てがなされ、取消理由通知したところ、平成１４年１月１５日に特許異議意見書と共に訂正請求書が提出され、平成１４年４月２日に異議申立人から回答書が提出されたものである。
　
２．訂正の請求について
２-1．訂正の内容
　特許権者が求めている訂正の内容は、以下の（ａ）ないし（ｃ）のとおりである（下線部が訂正個所である）。
（ａ）特許請求の範囲に記載された（本件特許公報１頁下段右欄１〜８行）「該特別装置を第２状態に変換させるための始動入賞球スイッチを有し、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具と、を少なくとも備え、
　上記所定条件成立手段において所定条件が成立した場合に、」を、「該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
　
上記特別装置を上記始動入賞具の下方に配設し、
（ｂ）特許明細書の段落【０００４】（同公報２頁３欄４７行〜同頁４欄３行）に記載された「該特別装置を第２状態に変換させるための始動入賞球スイッチを有し、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具と、を少なくとも備え、上記所定条件成立手段において所定条件が成立した場合に、」を、「該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
上記特別装置を上記始動入賞具の下方に配設し、
（ｃ）特許明細書の段落【００５９】（同公報８頁１５欄４７行〜同頁１６欄２行）に記載された「該特別装置を第２状態に変換させるための始動入賞球スイッチを有し、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具とを少なくとも備えているので、」を、「該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
上記特別装置を上記始動入賞具の下方に配設し、上記所定条件成立手段において所定条件が成立した場合に、上記特定条件成立手段を打球の流入の容易な第２状態に変換し、誘導手段による特定経路を通してのみ特定条件成立手段へ流入可能とすると共に、該特定条件成立手段において特定条件が成立した場合に権利状態となし、この権利状態にあるときに始動入賞具へ流入する打球に基づいて間隔を開けて特別装置を遊技者に有利な第２状態に変換するようにした
２-2．訂正の適否
　上記（ａ）の訂正は、特許明細書の特許請求の範囲の記載において、始動入賞具の構成を限定すると共に、特別装置と始動入賞球スイッチの相対的な位置を特定するものであるから、特許請求の範囲の減縮を目的とするものであり、また、上記（ｂ）及び（ｃ）の訂正は、発明の詳細な説明の記載を、特許請求の範囲の記載と整合させるためのものであるから、明りようでない記載の釈明を目的とするものである。
　そして、（ａ）の訂正における構成は、特許明細書の【０００７】、【００３４】及び【００３５】に記載されているから、（ａ）ないし（ｃ）の訂正は、願書に添付した明細書の記載事項の範囲内において訂正したものであって、実質上特許請求の範囲を拡張し、又は変更するものでもない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．異議申立ての理由
　異議申立人は、下記の証拠方法を提出し、本件請求項１に係る発明は、本件の出願前に出願され、その出願後に出願公開された特願平３−１９０９３２号の願書に最初に添付した明細書又は図面（甲第１号証参照）に記載された発明と同一であるから、その特許は、特許法第２９条の２の規定に違反してされたものであり、取り消されるべきである旨主張する。
　　　　　　　　　　　　　　　　記
　甲第１号証：特開平５−７６４５号公報（特願平３−１９０９３２号の願書に最初に添付した明細書又は図面に記載された発明を示す）
　甲第２号証：諸負裕　編集「パチンコ攻略マガジン９月号」（株式会社双葉社　平成３年９月１日発行）第１０頁
　甲第３号証：成澤浩一　編集「パチンコ必勝ガイド９月号」（白夜書房　平成３年９月１日発行）第６４〜第６５頁
　甲第４号証：成澤浩一　編集「パチンコ必勝ガイド３月号」（白夜書房　平成４年３月１日発行）第６６〜第６７頁
３-2．本件発明
　上記２．で示したように上記訂正が認められるから、本件請求項１に係る発明（以下、「本件発明」という）は、訂正後の特許明細書の特許請求の範囲の請求項１に記載されたとおりの、
　「打球が特定入賞口に入賞するなど特定条件が成立して権利状態にあるときに、打球が始動口に流入して始動スイッチが作動し、この始動スイッチの作動に基づいて、特別装置を遊技者に不利な第１状態から遊技者に有利な第２状態に変換することのできるパチンコ機において、
　遊技部に、打球の流入に基づいて所定条件を創出する所定条件成立手段と、通常の状態では打球の流入が困難な第１状態を維持し、上記所定条件が成立したときに打球の流入が容易な第２状態に変換する特定条件成立手段と、該特定条件成立手段へ特定経路以外からの流入を防止するガイド手段と、このガイド手段内へ特定経路を通して打球を誘導する誘導手段と、遊技者に不利な第１状態から遊技者に有利な第２状態に変換する特別装置と、該特別装置を第２状態に変換させるための始動入賞球スイッチを取付板の裏面側に形成した球連通路に臨ませると共に、上記取付板の前面側には側周面に球１個を受入可能な球受凹部を設けた回転部材と、該回転部材の周面には上部に球受入口を開設した囲繞壁とを備えて、１発目の球がこの始動入賞球スイッチをオンさせた後、次の球が再び始動入賞球スイッチをオンさせるまでに間隔が開くようにした始動入賞具と、を少なくとも備え、
　上記特別装置を上記始動入賞具の下方に配設し、
　上記所定条件成立手段において所定条件が成立した場合に、上記特定条件成立手段を打球の流入の容易な第２状態に変換し、誘導手段による特定経路を通してのみ特定条件成立手段へ流入可能とすると共に、該特定条件成立手段において特定条件が成立した場合に権利状態となし、この権利状態にあるときに始動入賞具へ流入する打球に基づいて間隔を開けて特別装置を遊技者に有利な第２状態に変換するようにしたことを特徴とするパチンコ機。」
である。
　
３-3．先願明細書記載の発明
（ａ）特願平３−１９０９３２号の願書に最初に添付した明細書又は図面には、次の事項が記載されている。
（ａ-1）「所定の条件が満たされた場合に特別遊技を行わせ易くする遊技状態である権利発生遊技状態を発生させる特別遊技権利確保装置と、前記権利発生遊技状態のもとで特別遊技を行わせるため、始動入賞装置に遊技球が入賞することを条件に、遊技者にとって不利な第１状態から遊技者にとって有利な第２状態に変換する変動入賞装置とを少なくとも備えたパチンコ遊技機」（２頁１欄２〜９行）、
（ａ-2）「前記権利発生装置５の右側には始動入賞装置としての第３種始動入賞装置７が設けられている。該第３種始動入賞装置７は権利発生遊技状態中に、遊技球が入賞手段に入賞した場合に特別遊技を開始させるものである。前記第３種始動入賞装置７の斜視図である図２を参照しつつ説明すると、前記第３種始動入賞装置７は入賞手段としての第３種始動入賞口７Ａと該入賞口７Ａに遊技球が連続して入賞することを阻止する連続入賞阻止手段７Ｃとから構成され、該連続入賞阻止手段７Ｃは前記第３種始動入賞口７Ａの直上位置に取付けられている。・・・
【００１４】前記連続入賞阻止手段７Ｃは軸７Ｆを介して基板７Ｂに回動可能に取り付けられている回転体によって作られている。そして、連続入賞阻止手段としての回転体７Ｃの円周面には開口部７Ｉが設けられており、該開口部７Ｉから回転体の中心に向かって遊技球１個を収容することができる切欠きにより入賞受口７Ｅが構成されている。該回転体７Ｃの内部にはその回転体７Ｃの軸に対して、前記入賞受口７Ｅと対称的な位置に錘７Ｇが取り付けられている。そして通常の状態では回転体７Ｃは前記入賞受口７Ｅの開口部が上方に位置された状態で静止しており、該入賞受口７Ｅに遊技球が収容された場合にはその遊技球の自重で回転体７Ｃが左右いずれかの方向に回動するようになっている。」（３頁４欄２〜３１行）、
（ａ-3）「前記第３種始動入賞装置７の右上方の位置には特別遊技を行う変動入賞装置１００が取り付けられている。」（３頁４欄４５〜４７行）、
（ａ-4）「遊技球が前記特定入賞口４Ａに入賞した場合には、その入賞が・・・特定入賞検出器２２によって検出される。・・・前記特定入賞検出器２２の検出にもとづいて、前記可変表示装置２０の可変表示器Ａと可変表示器Ｂのそれぞれの図柄が独立して変動を開始する。」（５頁７欄３７〜４３行）、
（ａ-5）「該可変表示器Ａと可変表示器Ｂが停止した時点で停止した図柄が当たりか否かが判断され、・・・停止図柄が当たりの図柄であるときには前記補助変動入賞装置５０の可動部５１が遊技球を入賞し易いように開状態に変換される。」（５頁８欄４〜１０行）、
（ａ-6）「前記補助変動入賞装置５０に入賞した遊技球は・・・回転体７４の一般入賞受口７２，７３あるいは特別入賞受口７１のいずれかに入り込む。・・・タイミングよく前記特別入賞受口７１に入賞した遊技球は該特別入賞受口７１内に収容されつつ回転体７４とともに回転し、前記回転体誘導部７５の底部から所定角度回転した後、後述する特別入賞球出口８８（図８参照）から遊技盤１の裏面に通り抜ける。そして、遊技盤１の裏面に取り付けられた特別入賞検出器８９（図８参照）を通過し・・・遊技球の入賞が前記特別入賞検出器８９により検知された場合には権利発生遊技状態となる。」（５頁８欄２６〜４８行）、
（ａ-7）「前記回転体７Ｃの入賞受口７Ｅに遊技球が収容された場合には、その遊技球の自重により前記回動体７Ｃは回動軸７Ｆを中心として左右いずれかの方向に回動され、前記入賞受口７Ｅが前記第３種始動入賞口７Ａの上方まで回動されたときに、・・・該第３種始動入賞口７Ａに入賞することになる。」（６頁９欄２４〜３０行）
（ａ-8）「第３種始動入賞口７Ａへの遊技球の入賞は前記第３種始動検出器７Ｄにより検出され、この検出に基づいて・・・前記変動入賞装置１００の大入賞口１０１が開状態に変換されて、逆「ハ」の字状となる。」（６頁９欄４０〜４５行）、
（ａ-9）「一方、前記第３始動入賞口７Ａに遊技球を放出した回転体７Ｃが通常の位置に復帰するまでには前記変動入賞装置可動部１０２が逆「ハ」の字状に回動されている。したがって前記流下誘導規制釘群１Ｅに至った遊技球は前記第３種始動入賞装置７への流下通路を塞がれることになり、遊技球が前記第３種始動入賞口７Ａに連続して入賞することを完全に防ぐことができる。」（６頁１０欄５〜１１行）。
（ｂ）甲第２号証には、「新装時のあれは何なんだ！
　この機種のもうひとつ優れた点は、アタッカー始動口が回転盤になっている所。これによって、ダブり入賞によるラウンドロスが、まずほとんど起こらなくなっている。」（１０頁第２段１〜５行）と記載されている。
（ｃ）甲第３号証には、「目をつぶっても４０００発
　新要件の権利モノではアタッカーの開放権利のメモリーがない規定になっている。これは「２個同時に開放チャッカーに入ってもアタッカーは１回しか開きませんよ」というきまりだ。このためにアタッカーの下に開放チャッカーを設けるなどの対策がとられてきたが、ニューヨークは全く新しい仕組みで、連続での入賞を防ぐようになっている。
　これはチャッカーに回転役物が付いていて、１周約１０秒で回転しており、アタッカーが開いているときには玉が引っ掛かった状態で上に乗っていてチャッカーのなかに入らない仕組みになっているのだ。このためフルに１６回アタッカーが開くという訳だ。」と記載されている。
（ｄ）甲第４号証には、「この後は例によって右打ち。ＧＯチャッカー入賞でアタッカー開放が１６回、約２４００個の出玉が期待出来る。ニューヨークと似た回転式のＧＯチャッカーだが、玉が貯留される所と入賞口が少し離れているので、複数入賞は絶対に起こらないのだ。」（第６６頁第３段第１行〜第８行）と記載されている。
　
３-4．対比・判断
　本件発明と上記先願明細書等に記載された発明（以下、「先願発明」という）とを対比すると、先願発明の「特別入賞受口７１」が「特定入賞口」に対応し、同様に、「第３種始動検出器７Ｄ」が「始動入賞球スイッチ」に、「変動入賞装置１００」が「特別装置」に、「可変表示装置２０」が「所定条件成立手段」に、「補助変動入賞装置５０」が「特定条件成立手段」に、「可動部流入規制釘群５１Ａ」が「ガイド手段」に、「第３種始動入賞装置７」が「始動入賞具」に、それぞれ対応している。
　そうすると、本件発明と先願発明とは、
　打球が特定入賞口に入賞するなど特定条件が成立して権利状態にあるときに、打球が始動口に流入して始動スイッチが作動し、この始動スイッチの作動に基づいて、特別装置を遊技者に不利な第１状態から遊技者に有利な第２状態に変換することのできるパチンコ機において、
　遊技部に、打球の流入に基づいて所定条件を創出する所定条件成立手段と、通常の状態では打球の流入が困難な第１状態を維持し、上記所定条件が成立したときに打球の流入が容易な第２状態に変換する特定条件成立手段と、該特定条件成立手段へ特定経路以外からの流入を防止するガイド手段と、このガイド手段内へ特定経路を通して打球を誘導する誘導手段と、遊技者に不利な第１状態から遊技者に有利な第２状態に変換する特別装置と、該特別装置を第２状態に変換させるための始動入賞球スイッチを球連通路に臨ませると共に、側周面に球１個を受入可能な球受凹部を設けた回転部材を備えた始動入賞具と、を少なくとも備え、
　上記所定条件成立手段において所定条件が成立した場合に、上記特定条件成立手段を打球の流入の容易な第２状態に変換し、誘導手段による特定経路を通してのみ特定条件成立手段へ流入可能とすると共に、該特定条件成立手段において特定条件が成立した場合に権利状態となし、この権利状態にあるときに始動入賞具へ流入する打球に基づいて間隔を開けて特別装置を遊技者に有利な第２状態に変換するようにしたパチンコ機で一致し、
（Ａ）始動入賞具が、本件発明では、「始動入賞球スイッチを取付板の裏面側に形成した球連通路に臨ませると共に、上記取付板の前面側には側周面に球１個を受入可能な球受凹部を設けた回転部材と、該回転部材の周面には上部に球受入口を開設した囲繞壁とを備えて、１発目の球がこの始動入賞球スイッチをオンさせた後、次の球が再び始動入賞球スイッチをオンさせるまでに間隔が開くようにした」ものであるのに対し、先願発明では、前記構成でない点、
（Ｂ）本件発明では、特別装置を始動入賞具の下方に配設しているのに対し、先願発明では、特別装置を始動入賞具の右上方に配設している点、
で構成が相違する。
　そこで、上記相違点について検討すると、始動入賞球スイッチを取付板の裏面側に形成した球連通路に臨ませると共に、上記取付板の前面側には側周面に球１個を受入可能な球受凹部を設けた回転部材と、該回転部材の周面には上部に球受入口を開設した囲繞壁とを備えて、１発目の球がこの始動入賞球スイッチをオンさせた後、次の球が再び始動入賞球スイッチをオンさせるまでに間隔が開くようにした始動入賞具は周知技術であり（例えば、実願昭６２−３３４１９号（実開昭６３−１４０９７９号）のマイクロフイルム（上記回答書に添付した甲第５号証）参照）、また、特別装置を始動入賞具の下方に配設することも周知（例えば、特開昭６３−７１２７５号公報（同回答書に添付した甲第８号証）、特開平４−２３８１号公報（同回答書に添付した甲第１０号証）参照）ということができ、更に、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具と、を少なくとも備えた構成は、甲第２ないし４号証に開示されているように周知である。
　しかしながら、先願発明は、変動入賞装置１００（本件発明の特別装置に対応）を第３種始動入賞装置７（本件発明の始動入賞具に対応）の右上方部に配置し、変動入賞装置１００が遊技者に有利な第２状態に変換した状態では、逆「ハ」の字状に回動した変動入賞装置可動部１０２が、第３種始動入賞装置７への流下通路を塞いで遊技球が前記第３種始動入賞口７Ａに連続して入賞することを完全に防ぐ作用を奏するようにしたものであり（上記（ａ-3）（ａ-9）参照）、変動入賞装置１００を第３種始動入賞装置７の下方に配置すると、前記作用を奏さなくなる。
　そうすると、先願発明に前記周知技術を適用することは当業者が適宜できることではなく、上記相違点（Ｂ）の構成は設計上の微差ということはできないから、本件発明が先願発明と実質的に同一ということはできない。
　
３-4．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月１５日（２００２．５．１５）
【訂正の要旨】
訂正の要旨
　特許第３１３６４９８号発明の特許明細書を訂正請求書に添付した訂正明細書のとおりに、すなわち、特許請求の範囲の減縮を目的として下記（ａ）のとおりに訂正し、明りょうでない記載の釈明を目的として下記（ｂ）及び（ｃ）のとおりに訂正する。
（ａ）特許請求の範囲に記載された（本件特許公報１頁下段右欄１〜８行）「該特別装置を第２状態に変換させるための始動入賞球スイッチを有し、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具と、を少なくとも備え、
　上記所定条件成立手段において所定条件が成立した場合に、」を、「該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
　
上記特別装置を上記始動入賞具の下方に配設し、
　上記所定条件成立手段において所定条件が成立した場合に、」と訂正する。
（ｂ）特許明細書の段落【０００４】（同公報２頁３欄４７行〜同頁４欄３行）に記載された「該特別装置を第２状態に変換させるための始動入賞球スイッチを有し、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具と、を少なくとも備え、上記所定条件成立手段において所定条件が成立した場合に、」を、「該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
上記特別装置を上記始動入賞具の下方に配設し、
（ｃ）特許明細書の段落【００５９】（同公報８頁１５欄４７行〜同頁１６欄２行）に記載された「該特別装置を第２状態に変換させるための始動入賞球スイッチを有し、側周面に球１個を受入可能な球受凹部を設けた回転部材を備えて、１発目の球がこの始動入賞球スイッチをオンさせた後、次の球が再び始動入賞球スイッチをオンさせるまでに間隔が開くようにした始動入賞具とを少なくとも備えているので、」を、「該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
上記特別装置を上記始動入賞具の下方に配設し、上記所定条件成立手段において所定条件が成立した場合に、上記特定条件成立手段を打球の流入の容易な第２状態に変換し、誘導手段による特定経路を通してのみ特定条件成立手段へ流入可能とすると共に、該特定条件成立手段において特定条件が成立した場合に権利状態となし、この権利状態にあるときに始動入賞具へ流入する打球に基づいて間隔を開けて特別装置を遊技者に有利な第２状態に変換するようにした
（５４）【発明の名称】
パチンコ機
（５７）【特許請求の範囲】
　【請求項１】　打球が特定入賞口に入賞するなど特定条件が成立して権利状態にあるときに、打球が始動口に流入して始動スイッチが作動し、この始動スイッチの作動に基づいて、特別装置を遊技者に不利な第１状態から遊技者に有利な第２状態に変換することのできるパチンコ機において、
　遊技部に、打球の流入に基づいて所定条件を創出する所定条件成立手段と、通常の状態では打球の流入が困難な第１状態を維持し、上記所定条件が成立したときに打球の流入が容易な第２状態に変換する特定条件成立手段と、該特定条件成立手段へ特定経路以外からの流入を防止するガイド手段と、このガイド手段内へ特定経路を通して打球を誘導する誘導手段と、遊技者に不利な第１状態から遊技者に有利な第２状態に変換する特別装置と、該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
　
上記特別装置を上記始動入賞具の下方に配設し、
　上記所定条件成立手段において所定条件が成立した場合に、上記特定条件成立手段を打球の流入の容易な第２状態に変換し、誘導手段による特定経路を通してのみ特定条件成立手段へ流入可能とすると共に、該特定条件成立手段において特定条件が成立した場合に権利状態となし、この権利状態にあるときに始動入賞具へ流入する打球に基づいて間隔を開けて特別装置を遊技者に有利な第２状態に変換するようにしたことを特徴とするパチンコ機。
【発明の詳細な説明】
　【０００１】
　【産業上の利用分野】
　この発明は、パチンコ機に関し、特に打球が特定入賞口に入賞するなど特定条件が成立して権利状態にあるときに、打球が始動口に流入することにより、変動入賞装置を遊技者に不利な第１状態から遊技者に有利な第２状態に変換することのできるパチンコ機に関するものである。
　【０００２】
　【従来の技術】
　周知のように、この種のパチンコ機は数多く開発されている。例えば、特開平２−１７２４８２号公報では、権利状態を創出する権利発生装置を、入賞領域を拡大縮小可能な入賞具で構成し、この入賞具は一般入賞口と権利を発生させるための特別入賞口とを形成したものが提案されている。
　【０００３】
　【発明が解決しようとする課題】
　しかしながら、従来のパチンコ機においては、入賞具に入球してから一般入賞口または特別入賞口へ入賞するまでに時間的な余裕があり、上記入賞具に複数の入球があった場合に、タイミングによっては先行する球が特別入賞口へ入賞し、後続の球も特別入賞口へ入賞することがある。従って、先行球によって権利が発生しても、すぐに後続球によって権利が消滅してしまう虞れがある。そこで、遊技者は、権利発生装置である入賞具を狙って弾発し、打球が入賞具に入球した場合に、球の行方が確定するまで、一時停止ボタンを作動させて打球の発射を停止したり、ハンドルを操作して打球が入賞具へ入らないように飛距離を調整している。このため、無駄球が発生し易く、遊技意欲が上がらない。また、パチンコ店にとってもパチンコ機の稼動が一時停止するので、稼働率が下がる。
　【０００４】
　【課題を解決するための手段】
　本発明は、上記に鑑み提案されたもので、打球が特定入賞口に入賞するなど特定条件が成立して権利状態にあるときに、打球が始動口に流入して始動スイッチが作動し、この始動スイッチの作動に基づいて、特別装置を遊技者に不利な第１状態から遊技者に有利な第２状態に変換することのできるパチンコ機において、遊技部に、打球の流入に基づいて所定条件を創出する所定条件成立手段と、通常の状態では打球の流入が困難な第１状態を維持し、上記所定条件が成立したときに打球の流入が容易な第２状態に変換する特定条件成立手段と、該特定条件成立手段へ特定経路以外からの流入を防止するガイド手段と、このガイド手段内へ特定経路を通して打球を誘導する誘導手段と、遊技者に不利な第１状態から遊技者に有利な第２状態に変換する特別装置と、該特別装置を第２状態に変換させるための始動入賞球スイッチを
取付板の裏面側に形成した球連通路に臨ませると共に、上記取付板の前面側には
と、該回転部材の周面には上部に球受入口を開設した囲繞壁と
上記特別装置を上記始動入賞具の下方に配設し、
　【０００５】
　【作用】
　ガイド手段が特定経路以外から特定条件成立手段への入球を防止し、特定条件成立手段へは、誘導手段が形成する特定経路を通してのみ打球を導入し、特定条件成立手段における不用意な入球を阻止することができる。
　【０００６】
　【実施例】
　以下、本発明を図面の実施例について説明すると、図１はパチンコ機１の正面図であって、窓部を有した額縁状の前枠２の一側を外枠３に開閉可能に蝶着し、上記窓部には金枠４を設け、該金枠４の上方部分にはガラスを装着したガラス枠５を開閉可能に軸着し、上記前枠２及びガラス枠５を施錠装置６で施錠可能とする。また、ガラス枠５の下方部分には上皿７ａを設けたフロントプレート７ｂ等からなる上受皿セット７を設け、前枠２の下方部分には下皿８ａや打球の飛距離を調整する操作ハンドル８ｂ等を設けた下受皿セット８を設ける。また、上記前枠２の窓部には遊技盤９を後方から臨ませる。
　【０００７】
　遊技盤９にはガイドレール１０で囲まれる遊技部１１を形成し、該遊技部１１のほゞ中央鉛直線に沿って、上方から天入賞装置１２、普通図柄表示装置１３を構成するセンター役物１４、特定条件成立手段として機能する特定入賞口１５を構成するセンター下役物１６、特別装置作動スイッチ１７が臨む特別装置作動領域１８を形成した特別装置作動装置１９を配設し、最下位置にはアウト口２０が開設してある。また、遊技盤９に向って左側におけるセンター役物１４の斜上方には普通電動役物２１、側方には振分通過装置２２、この振分通過装置２２の下方には始動入賞球スイッチが臨む第１始動入賞具２３が設けてある。一方、遊技盤９に向って右側におけるセンター役物１４の斜上方にはセンター右入賞口として普通入賞具２４、側方には始動入賞球スイッチが臨む第２始動入賞具２５が設けてある。そして、この第２始動入賞具２５の下方には、大入賞口を構成する特別装置２６として、打球の流入ができず遊技者に不利な第１状態と打球の流入が極めて容易で遊技者に有利な第２状態とに変換可能な変動入賞装置２７が配設してある。更に、前記特別装置作動装置１９の左右には落しの入賞具として表示入賞装置２８，２８が配設してある。尚、遊技部１１の適宜位置に各種の表示灯２９…、風車３０…等を配設し、パチンコ機１の上縁部には外部表示灯３１を設けるようにしてある。
　【０００８】
　天入賞装置１２は、一般入賞となって所定数の賞球を獲得可能な天入賞口３２、及びこの天入賞口３２の下方に位置して、側方から打球を受け入れて後述するセンター役物１４へ誘導する天下入賞口３３を有している。尚、この天下入賞口３３には、緩い摺鉢状の落下遅延手段３４を設け、流入した打球を摺鉢状の傾斜面を周回させることにより、天入賞装置１２内に留まる時間を延ばして遊技者の期待感を向上させるようになっている。
　【０００９】
　センター役物１４は、本発明において所定条件を創出するため所定条件成立手段として機能する普通図柄表示装置１３を備える。即ち、普通図柄表示装置１３が停止表示する図柄が所定の組合態様となることを所定条件としている。そこで、センター役物１４は、図２に示すように、遊技盤９に取り付けるための取付基板３５を有すると共に、前方へ突出する前面覆いリブ３６をほゞ横小判型に有している。また、この前面覆いリブ３６の上部中央には上方に向けて開口する普通図柄表示装置作動口３７が設けてあり、この普通図柄表示装置作動口３７には球通過路３８が連通している。そして、この球通過路３８には普通図柄表示装置１３の変動表示を開始するための普通図柄表示装置作動スイッチ３９を臨ませる。また、上記球通過路３８は後述する表示基板４０の後方を通ってセット板４１の集合樋４２に連通する。尚、上記球通過路３８は取付基板３５の背面に延設した取付ボス４３に球通過路形成部材３８′を止着して構成してある。
　【００１０】
　普通図柄表示装置１３は、上記表示基板４０に例えば所謂デジタル表示器４４を左右に並設してなり、数字及び英文字等の図柄を表示可能になっている。また、この表示基板４０の側端部には、ＬＥＤからなる普通図柄作動記憶表示灯４５が設けてあり、最大４個まで記憶可能な普通図柄表示装置１３の始動記憶を点灯表示する。
　【００１１】
　更に、普通図柄表示装置１３の下方には、後述する振分通過装置２２に連通させる球誘導路４６から球を遊技盤９の表面へ放出するための球放出口４７が開設してあり、この球放出口４７から流出する球は、下方に配設した特定条件成立手段を構成する特定入賞口１５として機能するセンター下役物１６へ誘導される。
　【００１２】
　尚、上記デジタル表示器４４及び普通図柄作動記憶表示灯４５の前面には着色透明シート４８及び透明板４９を設け、該透明板４９の側端部はレンズ部４９ａとなっており、前記した前面覆いリブ３６から延出するストッパリブ３６ａに係止している。また、前記した普通図柄表示装置作動口３７の前面には飾板５０が添設してある。
　【００１３】
　普通電動役物２１は所謂電動チューリップで構成されており、ベース板５１に設けたソレノイド５２を駆動源として、ベース板５１の前面側に軸着する一対の羽根部材５３を開閉して打球が入り難い第１状態と打球が入り易い第２状態とに変換可能である。
　【００１４】
　このため、図示の普通電動役物２１では、ソレノイド５２のプランジャ５２ａの先端にフランジ状の駆動板５４を設け、ベース板５１の背面側に対向状に延設した一対の回動支軸用脚片５５に、長さ方向のほゞ中程を揺動自在に軸支した連動部材５６の係合ピン５７を左右から臨ませてある。
　【００１５】
　上記連動部材５６は、図３（Ｄ）に示すように、一対の連動板５６ａ，５６ｂを位置決め孔５８ａ及びピン５８ｂで位置決めして重ね合わせた一体状になっている。また、連動部材５６の後端付近には係止溝５９を設け、この係止溝５９にはソレノイド取付板６０に両端を止着したコイルスプリング６１を係止させて、連動部材５６を付勢している。更に、連動部材５６、即ち左右の連動板５６ａ，５６ｂには、前端が横溝状に開口する係合凹部６２が設けてある。そして、ソレノイド５２が消磁した通常の状態では、連動部材５６が図３（Ｂ）において反時計方向へ付勢されているので、係合ピン５７がプランジャ５２ａの駆動板５４の背面に当接してプランジャ５２ａを突出させると共に、後述する作動ピン６３の作用によって、羽根部材５３が起立して打球を受入難い第１状態となっている。
　【００１６】
　上記羽根部材５３は、ポケット状の前飾り部材６４に揺動自在に軸支されており、当該羽根部材５３の内側面に突設したストッパー５３ａを、前飾り部材６４の背面側に設けたストッパー受６４ａ及びランプハウス部６４ｂの側壁６４ｃに当接させることにより、羽根部材５３の回動範囲を規制している。また、羽根部材５３には作動ピン６３を後向きに突設し、この作動ピン６３をベース板５１に開設したほゞ扇型の開口５１ａに通して背面側へ延在させ、作動ピン６３の先端を上記した連動部材５６の係合凹部６２に係合させる。
　【００１７】
　従って、上記のような構成の普通電動役物２１によれば、ソレノイド５２が消磁した通常の状態では、スプリング６１の付勢により連動部材５６が支軸を支点に反時計方向に回動しているので、係合凹部６２に係合した作動ピン６３によって羽根部材５３が起立して打球が入り難い第１状態を維持する。一方、ソレノイド５２を励磁すると、プランジャ５２ａがスプリング６１の付勢に抗して牽引されるので、駆動板５４の背面側に係止している係合ピン５７を介して連動部材５６が支軸６５を支点に時計方向に回動し、係合凹部６２に係合している作動ピン６３が上方へ押し上げられるので、羽根部材５３が横方向に傾動して打球を受け入れ易い第２状態に変換する。
　【００１８】
　そして、羽根部材５３が受け入れた打球は、ベース板５１に開設した通孔６６及びベース板５１の背面側に延設した球受樋６７を通ってセット板４１の球誘導通路１４５に流入し、該球誘導通路１４５を通って、センター役物１４の下方に配設するセンター下役物１６へ裏連動球として作用する。
　【００１９】
　尚、上記前飾り部材６４の左右下方部分には、ランプハウス部６４ｂを形成し、ランプ基板６９に設けたランプ７０を後方から臨ませてある。
　【００２０】
　本発明において特定条件成立手段即ち特定入賞口１５として機能するセンター下役物１６は、所謂２回開きチューリップで構成してあり、一対の回動自在な開閉翼片７１を有しており、打球が入り難い第１状態と打球が入り易い第２状態とに変換可能である。即ち、開閉翼片７１が起立した第１状態にあるときは、打球を真上からしか受け入れないが、打球を受け入れると開閉翼片７１が左右に傾動して側方からも打球の受け入れが可能な第２状態に変換する。そして、この第２状態においては２発の打球を受け入れるまで開放状態を維持するように構成してあり、２発目の打球が入球すると、開閉翼片７１が第１状態に復帰する。
　【００２１】
　このセンター下役物１６は、図４に示すように、取付基板７２の前面側に、上部及び底部並びに背面側が開口するポケット枠７３を止着し、このポケット枠７３の前面板７３ａの裏面側に支軸７３ｂを突設し、この支軸７３ｂに一対の開閉翼片７１を軸着する。また、上記前面板７３ａの裏面側には球を後述する箱枠７４方向へ誘導する第１案内リブ７３ｃを設けると共に、取付基板７２の裏面側に設けた箱枠７４に球を再びポケット枠７３方向へ誘導する第２案内リブ７４ａを設けて球通路７５を形成する。そして、上記箱枠７４内には球通路７５を通る球により回転して開閉翼片７１を開閉する作動体７６を設ける。尚、この作動体７６には板バネ７７を圧接させて当該作動体７６の妄動を防止する。
　【００２２】
　上記作動体７６は、図４（Ｄ）に示すように、回転中心から等間隔で放射状に延出する３枚の球受係合片７８ａ，７８ｂ，７８ｃを設け、これらの球受係合片７８…を上記球通路７５内に臨ませ、球が通過する際にほゞ１２０度回転するように構成する。また、作動体７６の両側端部にはほゞ１／３円弧状に延出する係合板７８ｄ，７８ｄを設け、開閉翼片７１の裏面側に突設した突起７１ａがこれらの係合板７８ｄに内側から係止すると、開閉翼片７１が起立した第１状態を保持する。
　【００２３】
　従って、第１状態にある開閉翼片７１の間に球が流入して球通路７５を通過し、下方へ抜ける際、この球は作動体７６の最初の球受係合片７８ａに作用して当該作動体７６をほゞ１２０度回動させるので、開閉翼片７１の突起７１ａと作動体７６の係合板７８ｄとの係合が外れ、開閉翼片７１が自重により外向きに傾動して第２状態に変換する。そして、次の球が開閉翼片７１の間に流入して球通路７５を通過すると、この球は作動体７６の球受係合片７８ｂに当接して当該回転体をほゞ１２０度回動させる。しかし、この状態では突起７１ａと係合板７８ｄとは係合しないので、開閉翼片７１は第２状態のままである。更に、次の球が球通路７５を通過する際に球受係合片７８ｃに当接して回転体がほゞ１２０度回転すると、係合板７８ｄが開閉翼片７１の突起７１ａの内側に位置して係合するので、開閉翼片７１が第１状態に復帰する。
　【００２４】
　そして、図示の実施例においては、普通電動役物２１が遊技盤９の裏側へ取り込んだ球によって裏連動が可能なように、揺動自在な球受レバー７９を設けると共に、該球受レバー７９の揺動を規制するための拘束部材８０を軸着してある。また、上記球受レバー７９の先端には前記した作動体７６の球受係合片７８の一つに係合して作動体７６を球が通過するのと同様にほゞ１２０度回動させる作動爪７９ａが設けてある。更に、球受レバー７９には当該球受レバー７９をほゞ水平を保つように付勢する重錘７９ｂが設けてある。従って、普通電動役物２１が遊技盤９の裏面側へ取り込んだ球が、セット板４１の球連動樋１４５を通って箱枠７４に流入すると、先ず、拘束部材８０が若干回動して球受レバー７９との係合が解け、球受レバー７９が重錘７９ｂの付勢に抗して揺動し、作動爪７９ａで作動体７６をほゞ１／３回転させて、開閉翼片７１を第２状態に変換させる。尚、作動体７６の球受係合片７８…は一つのみ幅広に形成すると共に他の２つを幅狭に形成してあるので、開閉翼片７１が第２状態にあるときに連動球が続けて箱枠７４に流入しても、球受レバー７９の先端の作動爪７９ａが空を切ることになり、第２状態のときに連動球が流入しても開閉翼片７１の開放状態を維持する。
　【００２５】
　従って、図示の実施例においては、普通電動役物２１へ流入した球は、裏連動球としてセット板４１の球連動樋１４５を通ってセンター下役物１６の球受レバー７９上に落下し、特定入賞口１５を構成しているセンター下役物１６を打球が入球し易い第２状態に変換させる。そして、この第２状態において開閉翼片７１の間に流入する球は、球通路７５を通って特別装置作動装置１９へ落下する。従って、遊技者は、センター下役物１６の開閉翼片７１が開放したら、打球をセンター下役物１６を通過させるべく、後述する振分通過装置２２を狙って発射すればよい。
　【００２６】
　上記のようなセンター下役物１６の球入口周辺には、特定経路以外からの球の流入を防止するガイド手段８１を設ける。このガイド手段８１は、図示の実施例によれば、図１１に示すように、センター役物１４の下縁部分とセンター下役物１６との間の遊技空間に列設した障害釘８２で形成されている。
　【００２７】
　従って、遊技者が発射した打球がセンター役物１４の周辺の遊技空間を流下しても、上記障害釘８２を列設したガイド手段８１によって、たとえ、センター下役物１６が打球の流入し易い第２状態に変換している場合であっても、直接センター下役物１６へ流入することはできない。
　【００２８】
　上記のような構成のセンター下役物１６の下方に位置し、特別装置２６としての変動入賞装置２７を作動させるための特別装置作動装置１９は、図５に示すように、センター下役物１６から落下する球を受け止める球受入樋８３を有している。この球受入樋８３は、球径の２倍弱の幅を有すると共に、中央に後傾斜する傾斜リブ８４が通っている。また、球受入樋８３の後端は開口して球落下口８３ａとなり、下方に位置する振分誘導棚８５の上に連通する。この振分誘導棚８５は、前下がりの傾斜を有すると共に、２条の振分リブ８５ａが設けてある。そして、上記２条の振分リブ８５ａに挟まれる中央誘導路８５ｂは特別装置作動領域１８を形成する一つの特別入賞口８６となり、振分リブ８５ａの左側または右側の誘導路８５ｃは一般入賞となる二つの一般入賞口８７となっている。従って、センター下役物１６から落下する球は球受入樋８３へ流入し、傾斜リブ８４の傾斜によって後方へ転動し、後端の開口から振分誘導棚８５へ落下する。落下した球は、振分リブ８５ａの作用によって、中央誘導路８５ｂまたは左右何れかの誘導路８５ｃへ落下する。中央誘導路８５ｂへ落下した球は、特別装置作動領域１８である特別入賞口８６へ流入可能であるが、左右の誘導路８５ｃへ落下した球は左右の一般入賞口８７へ流入する。そして、特別入賞口８６へ流入した球は特別装置作動スイッチ１７に作用する。
　【００２９】
　尚、この特別装置作動装置１９も、遊技盤９に取り付ける取付基板８８を有すると共に、前端部に上前飾り８９ａ及び下前飾り８９ｂが添設してあり、裏カバー９０が上記取付基板８８の後方に延設した裏カバー取付ボス８８ａを介して取り付けてある。また、上記中央誘導路８５ｂの中央には球を後方へ転動させる特別入賞口転動リブ９１ａが設けてあり、左右の誘導路８５ｃには球を後方へ転動させる一般入賞口転動リブ９１ｂが設けてある。更に、上記球受入樋８３の幅を後方部分において拡幅したり、振分リブ８５ａの位置を変更すると、特別入賞口８６の入賞率を変更可能である。
　【００３０】
　振分通過装置２２は、図６に示すように、取付板９２の前面側にモータ９３を駆動源とする円筒状の回転振分部材９４を軸着し、この回転振分部材９４の側周面に球一個を受入可能な断面ほゞＵ字形の第１球受凹部９５ａを設ける。そして、この第１球受凹部９５ａの前端部を前面板９４ａで塞ぐと共に、後方へ傾斜する球押えリブ９４ｂを設ける。一方、上記第１球受凹部９５ａと反対側の側周面には第２球受凹部９５ｂを設ける。この第２球受凹部９５ｂも上記第１球受凹部９５ａと同様の構成であるが、前端部が開放している。また、回転振分部材９４の周囲には囲繞壁９６を設け、この囲繞壁９６の上部には球の直径より若干幅広な球受入口９６ａを開設し、下部には球落下口９６ｂを開設する。そして、上記取付板９２には回転振分部材９４の第１球受凹部９５ａと連通可能な位置に球排出口９７を開設する。尚、図６において符号Ｇは前面ガラスである。
　【００３１】
　また、上記取付板９２の裏面側にはガイド壁９８を設けると共にカバー体９９を止着して、上記球排出口９７に連通する球排出路１００を形成し、この球排出路１００をセット板４１に設けた球誘導樋１４７に連通させる。尚、上記カバー体９９にはモータ取付ボス９９ａを設け、この取付ボス９９ａを介してモータ９３が取り付けてある。
　【００３２】
　上記のような構成の振分通過装置２２は、本発明における誘導手段による特定経路の入口に位置するものであり、当該振分通過装置２２によれば、第１球受凹部９５ａに流入した打球は、回転振分部材９４が矢視Ａ方向に回転しており、前面板９４ａの存在及び球押えリブ９４ｂによって後方に付勢されているので、取付板９２の球排出口９７の位置へ移送される。そして、球排出口９７から球排出路１００へ転出し、更にセット板４１の球誘導樋１４７へ進み、センター役物１４の球放出口４７から遊技盤９の表面へ放出され、これらは特定経路を形成するものである。
　【００３３】
　一方、第２球受凹部９５ｂに流入した球は、回転振分部材９４の回転に伴って下方へ移送されるが、第２球受凹部９５ｂが囲繞壁９６の球落下口９６ｂへ連通すると、遊技盤９表面へ落下する。そして、この振分通過装置２２の下方には、始動入賞球スイッチを臨ませた通常の入賞具で構成する第１始動入賞具２３が配置してあるので、落下した球が上記始動球スイッチに作用する可能性がある。
　【００３４】
　一方、センター役物１４の右側に位置する第２始動入賞具２５は、図７に示すように、取付板１０１の前面側にモータ１０２を駆動源とする円筒状の回転部材１０３を軸着し、この回転部材１０３の側周面に球一個を受入可能な断面ほゞＵ字形の球受凹部１０４を設ける。また、回転部材１０３の周囲には、上部に球の直径より若干幅広な球受入口１０５を開設した囲繞壁１０６を設ける。そして、上記取付板１０１には回転部材１０３の球受凹部１０４と連通可能な位置に球出口１０７を開設する。また、上記取付板１０１の裏面側にはガイド壁１０８を設けると共にカバー体１０９を止着して、上記球出口１０７に連通する球連通路１１０を形成し、この球連通路１１０には始動入賞球スイッチ１１１を臨ませる。尚、上記カバー体１０９にはモータ取付ボス１０９ａを設け、この取付ボス１０９ａを介してモータ１０２が取り付けてある。
　【００３５】
　上記のような構成の第２始動入賞具２５においては、例えば１分間に５回転するモータ１０２を適用すると、回転部材１０３は１２秒で一回転する。そこで、遊技部１１を流下する球が囲繞壁１０６の球受入口１０５に入っても、球受入口１０５と球受凹部１０４とが一致していないときは、球は回転部材１０３の側周面に載って球受凹部１０４が巡って来るまで待機する。そして、球受凹部１０４が巡って来ると、当該球受凹部１０４にこの球が嵌入し、回転部材１０３の回転に伴って球出口１０７に移送され、球出口１０７から球連通路１１０を通って始動入賞球スイッチ１１１に作用したのち、遊技盤９の裏面側へ排出される。従って、遊技盤９を流下する打球が連続して球受入口１０５へ到達しても、一発目の球が始動入賞球スイッチ１１１をオンさせた後、次の球が再び始動入賞球スイッチ１１１をオンさせるには少なくとも１２秒の間隔が開くことになる。尚、図７において符号Ｇは前面ガラスである。
　【００３６】
　大入賞口である特別装置２６は、例えば変動入賞装置２７からなり、この変動入賞装置２７は、図８に示すように、ベース板１１２の前面に打球を受入れるポケット１１３と、該ポケット１１３の上縁開口縁の左右に一対の回動翼片１１４を設けて構成している。
　【００３７】
　上記ポケット１１３はベース板１１２の下半部に止着され、上記ベース板１１２に開設した通孔１１５に連通する。そして、回動翼片１１４，１１４間の上方開口から流入する球を、上記通孔１１５を通して遊技盤９の裏面側に取込可能に構成してある。そして、ポケット１１３の前面には飾板１１６を添設して上記開口部を覆うと共に、この飾板１１６に２本の支軸１１７を後方へ向けて植設し、前記回動翼片１１４を回動自在に軸支する。
　【００３８】
　回動翼片１１４は軸支側基端部分に凹部１１８を設け、該凹部１１８にベース板１１２に開設した透孔１１９を通して後述する揺動部材１２０の揺動突起１２１を遊嵌させる。この回動翼片１１４を回動させる駆動伝達機構は、ソレノイド１２２の励磁によって前後方向にスライドするプランジャ１２３の運動を回動翼片１１４の回動運動に変換するもので、長さのほゞ中央をカバー部材１２４に軸着した揺動杆１２５の一端に設けた長孔１２６に上記プランジャ１２３をピン１２７で連結し、この揺動杆１２５の他端と上記した揺動部材１２０とを連結杆１２８を介して連絡してなる。
　【００３９】
　また、上記ポケット１１３の開口上端には１０カウントスイッチとして機能する球検出器１２９を臨ませ、回動翼片１１４の間に流入する球を検出可能とする。
　【００４０】
　上記のように構成された変動入賞装置２７は、常態においてソレノイド１２２が消磁し、戻りスプリング１３０の付勢によってプランジャ１２３が後退しているので、揺動部材１２０の揺動突起１２１が上向きとなり、回動翼片１１４の先端が閉じて打球の流入が不可能な第１状態となっている。一方、ソレノイド１２２を励磁するとプランジャ１２３がスライドして揺動杆１２５及び連結杆１２８を介して揺動部材１２０が支軸１３１を支点に揺動するので、揺動部材１２０の揺動突起１２１が下向きに回動し、これにより回動翼片１１４が傾動して大入賞口が開放されて打球が流入し易い第２状態に変換する。
　【００４１】
　尚、図示の実施例においては、特別装置２６として、回動翼片１１４を有する変動入賞装置２７を示しているが、例えばゲート板を有する所謂アタッカー形式の変動入賞装置を適用することも可能である。
　【００４２】
　更に、図示の実施例においては、遊技部１１の下方部分の左右で所謂「落し」の位置には、９セグメントの発光ダイオードからなる表示器を有するを表示入賞装置２８が配設してある。この表示入賞装置２８は、具体的には図９に示すように、基板１３２の前面側に、上部が開口すると共に中間部が横方向に膨出して表示窓部１３３を形成し、下部に球導入口１３４が開口する球受枠１３５を延設し、基板１３２の背面側には出口１３６ａを設けた球受樋１３６を延設してある。また、上記表示窓部１３３の内側には飾りリブ１３７が設けてある。そして、上記表示窓部１３３には、後方から表示基板１３８に設けた所謂９セグの表示器１３９を臨ませ、数字の「０」ないし「１６」及び特定の英文字等の図柄が表示可能になっている。
　【００４３】
　そして、右側の表示入賞装置２８は、第１始動入賞具２３及び第２始動入賞具２５に入賞した球数を表示する始動口入賞球数表示器１４０となっており、左側の表示入賞装置２８はデモ図柄表示器１４１となっている。
　【００４４】
　セット板４１は、図１０に示すように遊技盤９の裏面側に設ける部材であって、遊技盤９の天入賞装置取付孔１４２に装着した天入賞装置１２等へ流入した入賞球を入賞球処理装置（図示せず）へ集合させる集合樋４２が形成してある。また、遊技盤９の普通電動役物取付孔１４４に装着した普通電動役物２１へ入球した球をセンター下役物１６の裏連動球として球受レバー７９の上方へ誘導する球連動樋１４５と、遊技盤９の振分通過装置取付孔１４６に装着した振分通過装置２２へ流入した球をセンター役物１４の球放出口４７へ繋がる球誘導路４６と連通する球誘導樋１４７が形成してあり、上記球連動樋１４５と球誘導樋１４７とは通過する球が混合しないように交差している。
　【００４５】
　また、上記セット板４１の集合樋４２には、セット板４１の側縁に臨むように遊技盤９の各取付孔１４８，１４９に装着した第２始動入賞具２５及び大入賞口を構成している変動入賞装置２７へ入球した球が集合するように、第１枝樋４２ａ及び第２枝樋４２ｂが設けてある。更に、この集合樋４２には、センター役物１４の普通図柄表示装置作動スイッチ３９に作用した球も集合するように分岐樋４２ｃが設けてある。
　【００４６】
　そして、セット板４１の集合樋４２から流下する球、特別装置作動装置１９（特別装置作動装置取付孔１５０）から流下する球、左右の落し位置に配設した表示入賞装置２８（表示入賞装置取付孔１５１）から流下する球、第１始動入賞具２３（第１始動入賞具取付孔１５２）から流下する球は、図示していない入賞球処理装置へ誘導されるようになっている。
　【００４７】
　尚、図１０において符号１５３ａ〜ｄは各種表示灯の取付孔である。また、上記セット板４１は位置決め手段１５４で位置決めされている。更に、セット板４１の適宜位置には、中継基板１５５ａ〜ｃを設けて各種電気部品の配線及び中継を行なっている。また、上記集合樋４２の上流側の途中には普通入賞具２４の取付孔１５６が臨んでいる。
　【００４８】
　次に、上記のようなパチンコ機１における遊技について説明すと、図１１は遊技盤９の正面配置図であり、パチンコ機１の電源を投入すると、振分通過装置２２の回転振分部材９４及び第２始動入賞具２５の回転部材１０３が所定の速度、例えば一回転１２秒で夫々矢視Ａ方向に回転を開始する。尚、パチンコ機１にエラーが発生した場合には、所定の表示灯２９…を点滅させ、且つ効果音を発声させるように設定してある。
　【００４９】
　そして、このパチンコ機１では障害釘の配置によって所定の弾発コースを選ばなければ効果的な賞球の獲得ができないので、遊技者は、先ず、打球発射装置の操作ハンドル８ｂを操作して▲１▼のラインを狙って打球を発射する。この打球が天入賞装置１２の天下入賞口３３へ流入すると、天入賞装置１２を通過してセンター役物１４の上方へ落下する。この球は、センター役物１４の普通図柄表示装置作動口３７へ入球し易く、普通図柄表示装置作動スイッチ３９が作動すると、普通図柄表示装置１３が図柄の変動表示を開始する。普通図柄表示装置１３は、左図柄及び右図柄とも１０種類の図柄の表示が可能である。そして、図柄の変動表示を開始してから約５．３秒経過すると変動を停止する。このときの表示する図柄の組み合せ態様によって、「当り」・「外れ」を決定し、例えば所定条件として「３３」または「７７」を表示したときを「当り」とする。尚、普通図柄表示装置作動口３７への入球は最大４個まで記憶可能であって、現在の記憶数を記憶表示灯２９…により可視表示する。そして、普通図柄表示装置１３が当り態様になると、普通電動役物２１を約５．８秒間開放する。
　【００５０】
　そこで、遊技者は、今度は普通電動役物２１を狙うように、▲２▼のラインで発射する。この普通電動役物２１は、打球が入球し易い第２状態に変換しているので、比較的狙い易い。そして、普通電動役物２１に入球した球は、遊技盤９の裏面側に設けたセット板４１の球連動樋１４５を通って、特定入賞口１５を構成しているセンター下役物１６に裏連動球として作用する。センター下役物１６では、上記裏連動球が作用すると開閉翼片７１を打球が入賞し易い第２状態に変換する。
　【００５１】
　そして、遊技者は、上記特定入賞口１５を構成しているセンター下役物１６を狙うのであるが、この実施例では、ガイド手段８１として配列した障害釘８２によってセンター下役物１６を直接狙うことができないので、特定経路を形成しているセンター役物１４を通して上方から落下させなければならない。従って、遊技者は、センター役物１４に連通する振分通過装置２２を狙って▲３▼のラインに発射する。
　【００５２】
　振分通過装置２２における回転振分部材９４には第１球受凹部９５ａ及び第２球受凹部９５ｂが設けてあるので、第１球受凹部９５ａに入球した球は、球排出口９７まで移送されて、この球排出口９７から遊技盤９の裏面側に取り込まれ、セット板４１の球誘導樋１４７を通ってセンター役物１４の球放出口４７から再び遊技盤９の表面に放出される。
　【００５３】
　遊技盤９の表面に放出された球は、第２状態に変換しているセンター下役物１６に入球し、当該センター下役物１６を通過して特別装置作動装置１９へ流入する。尚、このセンター下役物１６は２回開きのチューリップとなっているので、特別入賞口８６へ入るチャンスが２度あり、開閉翼片７１の間へ２発の打球が入賞する迄、開放状態を維持する。
　【００５４】
　そして、振分通過装置２２及びセンター役物１４等を経由する特定経路からセンター下役物１６に入球し、当該球通路７５を通過して特別装置作動装置１９へ落下した球が特別入賞口８６へ流入すると、特別装置作動スイッチ１７が作動して権利状態となる。従って、次に遊技者は例えば▲４▼のラインから第２始動入賞具２５を狙って弾発する。そして、この第２始動入賞具２５へ入球して変動入賞装置２７が作動を開始すると、約１０秒経過するかまたは１０個の球が流入する迄、回動翼片１１４を開放して打球が入賞し易い第２状態に変換する。従って、変動入賞装置２７が第２状態に変換したならば、遊技者は、次に変動入賞装置２７を狙う▲４▼のラインへ打球を集中すればよい。そして、この▲４▼のライン上には第２始動入賞具２５が存在するが、この第２始動入賞具２５の回転部材１０３は１２秒で一回転するように設定してあるので、変動入賞装置２７が開放中に次の打球が第２始動入賞具２５へ流入することがなく、変動入賞装置２７の作動が終了するまで第２始動入賞具２５の上で待機する。従って、遊技者は権利を有効に活用して多数の賞球を獲得することができる。
　【００５５】
　このようにして、遊技の各段階に応じて、打球の発射コースを変更するので権利状態にあるときに、続けて特別装置作動領域１８に流入して特別装置作動スイッチ１７が作動するために、所謂パンクを起こして充分な利益を獲得する前に権利が消滅することがない。しかも、特定入賞口１５であるセンター下役物１６の周辺には、ガイド手段８１が設けてあるので、権利状態のときにセンター下役物１６を通って再び特別入賞口８６へ入球して権利状態が消滅することを確実に防止できる。また、変動入賞装置２７と一方の始動入賞具である第２始動入賞具２５とが同一ライン上に位置しているので、無駄球を消費することもない。
　【００５６】
　一方、遊技店にしても、権利が発生するか否か、打球の行方を見定めるために、遊技者が打球の発射を一時停止させることがないので、遊技台の稼働率が上がり営業成績の向上に繋がる。また、特別入賞口８６の入賞確率の設定等が、釘調整のみに依存しなくなるので、釘調整が容易になる。
　【００５７】
　尚、上記のような実施例のパチンコ機１においては、変動入賞装置２７が作動中に左右の始動入賞具２３，２５に、実際には向って右側の第２始動入賞具２５が中心となるが、合計１６個の打球が入球するか、変動入賞装置２７が作動中に再び特別装置作動装置１９の特別入賞口８６へ流入すると、変動入賞装置２７の作動は停止する。また、変動入賞装置２７の最大開放回数は１６回に設定してある。そして、大入賞口である変動入賞装置２７に入球した入賞球に対しては各々１５個の賞球を払い出し、大入賞口以外の入賞口へ入球した入賞球に対しては各々７個の賞球を払い出すように設定してある。更に、遊技の各段階に応じて各表示灯２９…を点灯或は点滅させ、遊技の状況に応じた効果音をスピーカーから放声して遊技の雰囲気を盛り上げるように設定してある。
　【００５８】
　以上本発明を図面の実施例について説明したが、本発明は上記した実施例に限定されるものではなく、特許請求の範囲に記載した構成を変更しない限り適宜に実施できる。例えば、ガイド手段は障害釘の配列ばかりではなく、障害部材を設けてもよいし、誘導手段による特定経路は、遊技盤の前面側に形成するようにしてもよい。また、特定条件成立手段として機能するセンター下役物において、裏連動球による開閉翼片の開放に代えて、球受レバーにソレノイドを臨ませ、このソレノイドを普通図柄表示装置が当り態様になった場合に作動させて、当該センター下役物の開閉翼片を開放するようにしてもよい。
　【００５９】
　【発明の効果】
　以上要するに本発明に係るパチンコ機は、遊技部に、打球の流入に基づいて所定条件を創出する所定条件成立手段と、通常の状態では打球の流入が困難な第１状態を維持し、上記所定条件が成立したときに打球の流入が容易な第２状態に変換する特定条件成立手段と、該特定条件成立手段へ特定経路以外からの流入を防止するガイド手段と、このガイド手段内へ特定経路を通して打球を誘導する誘導手段と、遊技者に不利な第１状態から遊技者に有利な第２状態に変換する特別装置と、該特別装置を第２状態に変換させるための始動入賞球スイッチを
取付板の裏面側に形成した球連通路の臨ませると共に、上記取付板の前面側には
と、該回転部材の周面には上部に球受入口を開設した囲繞壁と
上記特別装置を上記始動入賞具の下方に配設し、上記所定条件成立手段において所定条件が成立した場合に、上記特定条件成立手段を打球の流入の容易な第２状態に変換し、誘導手段による特定経路を通してのみ特定条件成立手段へ流入可能とすると共に、該特定条件成立手段において特定条件が成立した場合に権利状態となし、この権利状態にあるときに始動入賞具へ流入する打球に基づいて間隔を開けて特別装置を遊技者に有利な第２状態に変換するようにした
【図面の簡単な説明】
　【図１】
　パチンコ機の正面図である。
　【図２】
　センター役物を示し、（Ａ）は概略正面図、（Ｂ）は縦断面図である。
　【図３】
　普通電動役物を示し、（Ａ）は一部欠截正面図、（Ｂ）は縦断面図、（Ｃ）は背面図、（Ｄ）は連動部材の斜視図である。
　【図４】
　センター下役物を示し、（Ａ）は一部欠截正面図、（Ｂ）は縦断面図、（Ｃ）は横断面図、（Ｄ）は作動体の斜視図である。
　【図５】
　特別装置作動装置を示し、（Ａ）は一部欠截平面図、（Ｂ）は前飾りを外した正面図、（Ｃ）は縦断面図である。
　【図６】
　振分通過装置を示し、（Ａ）は正面図、（Ｂ）は縦断面図である。
　【図７】
　第２始動入賞具を示し、（Ａ）は正面図、（Ｂ）は縦断面図である。
　【図８】
　変動入賞装置を示し、（Ａ）は一部欠截正面図、（Ｂ）は縦断面図である。
　【図９】
　表示入賞装置の斜視図である。
　【図１０】
　入賞球の経路を説明するためのセット板を装着した遊技盤の概略背面図である。
　【図１１】
　遊技盤上の諸装置及び障害釘の配置を示す正面図である。
　【符号の説明】
　　１　パチンコ機
　１１　遊技部
　１３　所定条件成立手段としての普通図柄表示装置
　１６　特定条件成立手段としてのセンター下役物
　２２　誘導手段による特定経路の入口を構成する振分通過装置
　２３，２５　始動入賞具
　２６　特別装置
１１１　始動入賞球スイッチ